(57)【要約】【課題】電子楽器としての演奏操作性に優れ、かつ、通信端末としての機能性も十分に確保できる通信端末装置の提供。【解決手段】フレーム部１０と該フレーム部１０に対して移動可能に取り付けられた本体部３０とを備え、本体部３０には、操作部と表示部を兼ねたタッチパネル３７が設けられ、フレーム部１０には、本体部３０を収納するための収納部１２が形成されており、本体部３０は、収納部１２内に配置された閉位置と収納部１２から取り出された開位置との間で移動可能であり、収納部１２と本体部３０との間には、楽音情報を入力するための線状のタッチセンサからなる演奏操作子５０が配列され、本体部３０が閉位置にあるとき、演奏操作子５０が本体部３０に格納され、本体部３０が開位置にあるとき、演奏操作子５０が露出するように構成した携帯電話機１。【選択図】図１
2010021690.tif 000002
【特許請求の範囲】
【請求項１】
フレーム部と該フレーム部に対して移動可能に取り付けられた本体部とを備え、
前記本体部には、操作部と表示部の少なくともいずれかが設けられ、
前記フレーム部には、前記本体部を収納するための収納部が形成されており、前記本体部は、前記収納部内に配置された閉位置と前記収納部から少なくともその一部が取り出された開位置との間で移動可能であり、
前記収納部と前記本体部との間には、楽音に関する情報を入力するための演奏操作子が設置され、
前記本体部が前記閉位置にあるとき、前記演奏操作子が前記本体部あるいは前記フレーム部に格納され、前記本体部が前記開位置にあるとき、前記演奏操作子が露出するように構成した
ことを特徴とする通信端末装置。
【請求項２】
前記収納部は、前記フレーム部に形成された開放端を有する凹形状の部位であり、
前記開放端を介して前記本体部を前記閉位置と前記開位置との間でスライド可能となるようにガイドするガイド機構を備える
ことを特徴とする請求項１に記載の通信端末装置。
【請求項３】
前記本体部に設けた前記操作部及び前記表示部は、タッチパネルからなる
ことを特徴とする請求項１又は２に記載の通信端末装置。
【請求項４】
前記演奏操作子は、並設された複数の線状のタッチセンサからなる
ことを特徴とする請求項１乃至３のいずれかに記載の通信端末装置。
【請求項５】
前記複数の線状のタッチセンサは、前記本体部が前記開位置に配置されたとき、前記収納部と前記本体部との間に架け渡された状態となる
ことを特徴とする請求項４に記載の通信端末装置。
【請求項６】
前記タッチセンサは、直線状の部材であり、
前記ガイド機構は、前記タッチセンサと、前記本体部に設けた該タッチセンサを軸方向に沿って出入可能とする格納部とからなり、前記タッチセンサで前記本体部の移動をガイドするように構成した
ことを特徴とする請求項４又は５に記載の通信端末装置。
【請求項７】
通信処理を実行する通信モードと、前記演奏操作子による演奏を行う電子楽器モードとを切り換えて設定するモード切換手段を備え、
前記本体部が開状態のとき、前記モード切換手段で前記電子楽器モードが設定され、前記演奏操作子に対して楽音に関する情報を入力するための機能が割り当てられる
ことを特徴とする請求項１乃至６のいずれかに記載の通信端末装置。
【請求項８】
前記モード切換手段によるモード設定を切り換えるための操作子を備え、
前記操作子の操作に応じて、前記処理モードが前記通信モードに切り換えられることで、前記本体部が開状態のとき、前記演奏操作子に対して通信に関する情報を入力するための機能が割り当てられる
ことを特徴とする請求項７に記載の通信端末装置。
【発明の詳細な説明】
【技術分野】
【０００１】
本発明は、携帯電話機などの通信端末装置に関し、詳細には、通信機能に加えて電子楽器としての機能を備えた通信端末装置に関する。
【背景技術】
【０００２】
近年、携帯電話機を始めとする携帯型の通信端末装置は、多機能化が進み、本来の通信機能に加えて、ゲーム機能やＴＶ放送受信機能などの娯楽用の機能を兼ね備えたものが商品化されている。このような通信端末装置の多機能化の一環として、例えば、電子ギターや電子ピアノなど電子楽器（一例として、特許文献１に示す電子楽器がある。）の機能を携帯電話機などの通信端末装置に搭載することが考えられる。
【０００３】
電子楽器の機能を兼ね備えた通信端末装置の従来例として、特許文献２に記載された携帯電話機がある。この携帯電話機は、テンキー配列された数字／文字キーや通信操作キーを、楽音情報を入力するための演奏操作子として用いることで、携帯電話機を電子楽器として機能させるものである。
【特許文献１】特許３６８０７８７号公報
【特許文献２】特開２００７−２１２５２４号公報
【発明の開示】
【発明が解決しようとする課題】
【０００４】
特許文献２に記載された通信端末装置では、数字／文字キーや通信操作キーを演奏操作子として兼用するため、部品点数を少なく抑えて構成を簡単にでき、通信端末装置の小型化、軽量化を図るには好適である。しかしながら、数字／文字キーや通信操作キーは、本来の通信端末としての情報入力操作には適しているが、電子楽器の演奏操作子として用いると、キーの配列や形状、操作時のタッチ感などが本物の楽器が備える弦や鍵盤などの演奏操作子とは大きく異なるため、楽器としての演奏感覚を再現できないという問題があった。そのため、通信端末装置の操作者、特に、楽器演奏に慣れている操作者にとっては、実際の楽器とは演奏操作が大きく異なるために、電子楽器としての演奏をあまり楽しむことができなかった。
【０００５】
その一方で、通信端末装置に電子楽器の機能を持たせる場合でも、通常時は、通信端末装置を携帯電話機や電子メール送受信機として用いるため、楽器としての演奏に適した演奏操作子を備えていても、本来の通信端末としての機能性を損なわないように工夫する必要がある。
【０００６】
本発明は上述の点に鑑みてなされたものでありその目的は、電子楽器としての演奏操作性に優れ、かつ、通信端末としての機能性も十分に確保できる通信端末装置を提供することにある。
【課題を解決するための手段】
【０００７】
上記課題を解決するため本発明にかかる通信端末装置は、フレーム部（１０）と該フレーム部（１０）に対して移動可能に取り付けられた本体部（３０）とを備え、本体部（３０）には、操作部（３７ａ，３７ｂ）と表示部（３７ｃ）の少なくともいずれかが設けられ、フレーム部（３０）には、本体部（３０）を収納するための収納部（１２）が形成されており、本体部（３０）は、収納部（１２）内に配置された閉位置と、収納部（１２）から少なくともその一部が取り出された開位置との間で移動可能であり、収納部（１２）と本体部（３０）との間には、楽音に関する情報を入力するための演奏操作子（５０）が設置され、本体部（１０）が閉位置にあるとき、演奏操作子（５０）が本体部（３０）あるいはフレーム部（１０）に格納され、本体部（３０）が開位置にあるとき、演奏操作子（５０）が露出するように構成したことを特徴とする。なお、ここでの括弧内の符号は、後述する実施形態の対応する構成要素の符号を本発明の一例として示したものである。
【０００８】
本発明にかかる通信端末装置によれば、楽音情報を入力するための演奏操作子を備えたので、弦や鍵盤などを備えた実際の楽器に近い演奏操作性を実現することができる。したがって、通信端末装置で楽器の演奏感覚を再現できるようになる。これにより、操作者が楽器演奏を気軽に楽しめるようになる。さらに、この演奏操作子は、本体部が閉位置にあるとき本体部あるいはフレーム部に格納され、本体部が開位置にあるとき露出するように構成したので、通信端末装置を通信端末として用いる際には、本体部を閉位置に配置すれば、演奏操作子が格納されて邪魔にならない。したがって、通信端末装置としての機能性を十分に確保できる。その一方で、電子楽器として用いる際には、本体部を開位置に配置すれば、演奏操作子が露出するので、楽器としての演奏操作が行い易くなり、電子楽器としての機能性も十分に確保できる。
【０００９】
上記の通信端末装置の一実施形態として、収納部（１２）は、フレーム部（１０）に形成された開放端（１２ａ）を有する凹形状の部位であり、開放端（１２ａ）を介して本体部（３０）を閉位置と開位置との間でスライド可能となるようにガイドするガイド機構（４０）を備えてよい。この構成によれば、本体部をフレーム部に対してスライドさせるという簡単な操作で、演奏操作子の出し入れが行えるようになる。したがって、通信端末としての使用状態と電子楽器としての使用状態の切り換えが簡単に行えて、便利である。
【００１０】
また、上記の通信端末装置では、本体部（３０）に設けた操作部（３７ａ，３７ｂ）及び表示部（３７ｃ）は、タッチパネル（３７）とすることが望ましい。これによれば、本体部の構成を簡単にすることができ、通信端末装置の小型化、軽量化を図ることができる。また、通信端末装置の操作性、表示の視認性を向上させることもできる。
【００１１】
また、上記の通信端末装置では、演奏操作子（５０）は、並設された複数の線状のタッチセンサ（５０）からなるものでよい。これによれば、操作者が演奏操作子に触れることで楽音情報の入力を行うことができ、電子楽器の演奏操作が容易に行えるようになる。また、演奏操作子を並設された複数の線状部材としたことで、演奏操作子を弦のように操作することができるので、ギターやハープなど弦楽器の演奏感覚を再現可能となる。したがって、電子楽器の演奏操作をより楽しむことができるようになる。
【００１２】
さらにこの場合、複数の線状のタッチセンサ（５０）は、本体部（３０）が開位置に配置されたとき、収納部（１２）と本体部（３０）との間に架け渡された状態となるようにしてよい。これによれば、演奏操作子を指などで弾いて演奏する操作が行い易くなるので、電子楽器の演奏操作をより楽しむことができるようになる。
【００１３】
また、この場合、タッチセンサ（５０）は、直線状の部材であり、ガイド機構（５０，３２）は、タッチセンサ（５０）と、本体部（３０）に設けた該タッチセンサ（５０）を軸方向に沿って出入可能とする格納部（３２）とからなり、タッチセンサ（５０）で本体部（３０）の移動をガイドするように構成してもよい。これによれば、タッチセンサを用いて本体部の移動をガイドできるので、別途のガイド機構を設けずに本体部をスライドさせることが可能となる。したがって、通信端末装置の構成を簡単にして、その小型化・低廉化を図ることができる。
【００１４】
また、上記の通信端末装置では、通信処理を実行する通信モードと、演奏操作子（５０）による演奏を行う電子楽器モードとを切り換えて設定するモード切換手段（５８）を備え、本体部（３０）が開状態のとき、モード切換手段（５８）で電子楽器モードが設定され、演奏操作子（５０）に対して楽音に関する情報を入力するための機能が割り当てられるようにしてよい。これによれば、本体部を開状態にすれば、演奏操作子による演奏が行える状態となる。したがって、電子楽器の機能が使い易くなり、通信端末装置の利便性が向上する。
【００１５】
また、この場合、モード切換手段（５８）によるモード設定を切り換えるための操作子（１４）を備え、該操作子（１４）の操作に応じて、処理モードが通信モードに切り換えられることで、本体部（３０）が開状態のとき、演奏操作子（５０）に対して通信に関する情報を入力するための機能が割り当てられるようにしてもよい。これによれば、本体部が開状態にある場合でも、通信モードに切り換えて、演奏操作子に対して通信に関する情報を入力するため機能を割り当てることができるので、通信端末の機能が使い易くなり、通信端末装置の利便性がさらに向上する。
【発明の効果】
【００１６】
本発明にかかる通信端末装置によれば、演奏操作性に優れた電子楽器としての機能を有し、かつ、通信端末としての機能性も十分に確保できるようになる。
【発明を実施するための最良の形態】
【００１７】
以下、本発明の実施形態を図面に基づいて詳細に説明する。
〔第１実施形態〕
図１及び図２は、本発明の第１実施形態にかかる携帯電話機（通信端末装置）１を示す図で、図１は、斜視図、図２（ａ）は、背面側から見た平面図、図２（ｂ）は、正面側から見た平面図である。なお、図２（ａ）では、後述する本体部３０が閉位置にある状態を示しており、図２（ｂ）では、本体部３０が開位置にある状態を示している。
【００１８】
携帯電話機１は、フレーム部１０と、該フレーム部１０に対して移動可能に設置された本体部３０とを備えている。フレーム部１０は、外形が略長方形の平板状に形成されており、中央には、略矩形状に切り欠かれた収納部１２が形成されている。フレーム部１０は、樹脂材などで形成された中空のケースであり、内部には、携帯電話機１の構成部品が設置されている。収納部１２は、フレーム部１０の長手方向に沿う一方の端面１０ａに設けた開放端１２ａを有し、内形が略コ字状（Ｕ字状）の凹部として形成されている。
【００１９】
本体部３０は、収納部１２の内形に沿う略長方形の外形を有する平板状の部品である。本体部３０は、樹脂材などで形成された中空のケースであり、内部には、基板（図示せず）などの構成部品が設置されている。本体部３０は、図２（ａ）に示すように収納部１２内に配置された閉位置と、図２（ｂ）に示すように収納部１２から取り出された開位置との間で移動可能になっている。収納部１２と本体部３０の間には、本体部３０を収納部１２に対してスライド可能となるようにガイドするガイド機構４０が設けられている。ガイド機構４０は、収納部１２の短手方向に延びる一の端面１２ｃに形成されたレール４０ａと、該端面１２ｃに対向する本体部３０の端面３０ｃに形成されたレール４０ｂ、および、収納部１２内の短手方向に延びる他の端面１２ｄに形成されたレール４０ａと、該端面１２ｄに対向する本体部３０の端面３０ｄに形成されたレール４０ｂを有している。そして、端面１２ｃに設けたレール４０ａと端面３０ｃに設けたレール４０ｂをスライド自在に係合させ、かつ、端面１２ｄに設けたレール４０ａと端面３０ｄに設けたレール４０ｂをスライド自在に係合させた構成である。このガイド機構４０により、本体部３０は、開放端１２ａを介して閉位置と開位置との間でスムーズにスライド移動するようになっている。また、図示は省略するが、閉位置と開位置において本体部３０が容易に移動しないように停止させるロック機構を設けてもよい。このロック機構は、例えば、本体部の端面３０ｄとそれに対向する収納部１２の端面１２ｄとに設けた係合用の凹凸などで構成することができる。
【００２０】
収納部１２と本体部３０の間には、楽音に関する情報を入力するための演奏操作子５０が設置されている。演奏操作子５０は、収納部１２内の長手方向に延びる一の端面１２ｂから対向する本体部３０の端面３０ｂに架け渡された直線状（棒状）の部材からなる。この演奏操作子５０は、図１に示すように、複数本（本実施形態では１０本）が所定間隔で平行に設置されている。演奏操作子５０は、タッチセンサの機能を備えており、指などの接触の有無を検知できるように構成されている。また、接触の有無だけでなく、接触の強さや速度などを検知できるようにしてもよい。このようなタッチセンサの具体的構造としては、静電式タッチセンサ、抵抗膜式タッチセンサ、歪検出式センサなどを採用することができる。演奏操作子５０は、本体部３０の端面３０ｂに設けた格納穴３２から出て、収納部１２の端面１２ｂに連結されており、格納穴３２に対して出し入れが可能になっている。したがって、本体部３０が閉位置にあるとき、格納穴３２に演奏操作子５０が格納され、本体部３０が開位置にあるとき、格納穴３２から演奏操作子５０が引き出されるようになっている。これにより、本体部３０が開位置に配置される際、演奏操作子５０が本体部３０から出て収納部１２と本体部３０との間に架け渡された状態となる。
【００２１】
また、本体部３０の端面３０ｂには、本体部３０の開閉状態を検出するための開閉検出スイッチ３４が設けられている。開閉検出スイッチ３４は、本体部３０が閉位置にあるとき、対向する収納部１２の端面１２ｂにより押圧されてオンし、本体部３０が閉位置から移動すると、押圧が解除されてオフするようになっている。
【００２２】
なお、本実施形態の通信端末装置１では、直線棒状の部材からなるタッチセンサ５０を容易に撓まない程度の硬質材料で形成し、かつ、本体部３０に設けた格納穴３２をタッチセンサ５０の側面に摺接する程度の内径寸法に形成すれば、該タッチセンサ５０で本体部３０のスライド移動をガイドするようにできる。つまり、タッチセンサ５０と、本体部３０に設けた格納穴（格納部）３２とで、本体部３０のスライド移動をガイドするガイド機構が構成される。したがって、この場合、本体部３０と収納部１２との間に設けたレール４０ａ，４０ｂを有するガイド機構４０が不要となる。このように、タッチセンサ５０で本体部３０の移動をガイドすれば、別途のガイド機構４０を設けずに済むので、通信端末装置１の構成を簡単にでき、小型化・低廉化を図ることができる。
【００２３】
図２（ｂ）に示すように、本体部３０の正面３５には、操作部と表示部を兼ねたタッチパネル３７が設置されている。タッチパネル３７には、通常の携帯電話機１が備えるテンキーに対応する数字／文字キー３７ａや、各種の操作キー３７ｂが設けられている。数字／文字キー３７ａは、０〜９の数字に対応するキーが本体部３０の長手方向に沿って一列に配列されている。各数字／文字キー３７ａには、０〜９の各数字のほか、アルファベットやかな文字などが割り当てられている。これら０〜９の数字に対応する数字／文字キー３７ａは、本体部３０から出ている各演奏操作子５０に対応して配列されている。また、操作キー３７ｂには、通話キーや電子メール送受信用キー、および携帯電話の機能であるカメラ機能や電話帳機能などに対応したキーがある。さらに、タッチパネル３７には、通信に関する情報や電子楽器の演奏に関する情報を表示するための表示面３７ｃが設けられている。
【００２４】
図２（ｂ）に示すように、フレーム部１０の正面における収納部１２の下側には、操作キー１４が配列されている。操作キー１４には、データ入力の際に選択操作を行うための十字キーや、通話キー、通話停止キーなどがある。なお、後述するように、操作キー１４には、通信モードにおいて通信情報の入力を行うための機能が割り当てられ、電子楽器モードにおいて電子楽器の設定を行うための機能が割り当てられる。また、図２（ｂ）に示すように、フレーム部１０の正面１９における上端の内部には、レシーバ（受話部）１６が設置されており、下端の内部には、マイク（送話部）１７が設置されている。レシーバ１６とマイク１７に対応する位置には、放音用の小孔１６ａ，１７ａが形成されている。また、フレーム部１０の背面２０における下端近傍の内部には、楽音などの音を出力するためのスピーカ１８が設置されており、スピーカ１８に対応する位置には、放音用の小孔１８ａが形成されている。
【００２５】
図３は、携帯電話機１の機能構成を示すブロック図である。同図に示すように、携帯電話機１は、演奏操作子５０、操作部５２、表示部５４、通信部５６、制御部５８、記憶部６０、音声処理回路６２、音源６４の各部を備えており、各部は、バス６６を介して接続されている。同図に示す操作部５２は、図２（ｂ）に示すタッチパネル３７の数字／文字キー３７ａや操作キー３７ｂ、あるいは操作キー１４に該当し、表示部５４は、タッチパネル３７の表示面３７ｃに該当する。
【００２６】
制御部５８は、操作部５２から入力される操作信号に従った処理を実行するように、携帯電話機１の各部の動作を制御する。これにより、後述する処理モードの選択を含めた各種処理動作が実行される。なお、処理動作を実行するためのプログラムは、記憶部６０に格納されている。
【００２７】
制御部５８は、処理モードとして、通信モードまたは演奏モードを選択して切り換えることができる。通信モードは、通話や電子メール送受信などの通信動作を行う際の処理モードであり、電子楽器モードは、演奏操作子５０による演奏操作を行う際の処理モードである。制御部５８は、選択した処理モードに応じた処理を実行する。すなわち、この場合、制御部５８は、通信処理を実行する通信モードと、電子楽器の演奏を行う電子楽器モードとを選択して切り換えるモード切換手段として機能する。
【００２８】
電子楽器モードにおいては、演奏操作子５０は、楽音入力用の操作子として機能するように設定される。その場合、例えば、１０本の演奏操作子５０にそれぞれ異なる音高の音が順に割り当てられる。一方、通信モードにおいては、演奏操作子５０は、ダイヤル番号や文字情報などを入力するための数字／文字キーとして機能するように設定される。その場合、例えば、１０本の演奏操作子５０にそれぞれ数値「０」〜「９」が順に割り当てられる。
【００２９】
また、通信モードにおいては、タッチパネル３７上の数字／文字キー３７ａは、電話番号やメールアドレスなどの数字・文字入力キーとして機能するように設定され、操作キー３７ｂは、通信情報の入力キーとして機能するように設定される。また、タッチパネル３７上の表示面３７ｃは、通信操作に必要な表示を行うように設定される。一方、電子楽器モードでは、タッチパネル３７上の数字／文字キー３７ａや操作キー３７ｂを電子楽器の各種設定を行うためのキーとして機能させることができ、タッチパネル３７上の表示面３７ｃを当該設定に必要な表示を行うようにできる。
【００３０】
音源６４は、電子楽器モードにおいて、演奏操作子５０による演奏操作に応じて、例えば、ギターやバイオリンなどの弦楽器を模擬した楽音を発生することができる。また、設定に応じて、ピアノやオルガンなどの鍵盤楽器や管楽器を模擬した楽音を発生するようにしてもよい。発生した楽音は、スピーカ１８から出力される。一方、音源６４は、通信モードにおいて、操作音や効果音あるいは電話の着信音（着信メロディ）などの電子音を発生するようになっている。
【００３１】
処理モードの切り換えは、開閉検出スイッチ３４で検出した本体部３０の開閉状態に応じて行われる。すなわち、本体部３０が閉位置にあるとき、開閉検出スイッチ３４がオンとなり通信モードが設定され、本体部３０が開位置にあるとき、開閉検出スイッチ３４がオフとなり電子楽器モードが設定される。
【００３２】
なお、これ以外にも、操作キー１４などに対してモード切換機能を割り当てることも可能である。これによれば、本体部３０を開状態にしていても、操作キー１４の操作に応じて、処理モードの設定を電子楽器モードから通信モードに切り換えることができる。これにより、演奏操作子５０に対して通信に関する情報を入力するため機能が割り当てられるので、各演奏操作子５０をダイヤル番号や文字情報などを入力するための数字／文字キーとして用いることができる。このように、操作キー１４に対してモード切り換え機能を割り当てておけば、本体部３０の開閉状態に関わらず、処理モードを電子楽器モードと通信モードのいずれにも設定することが可能となる。
【００３３】
通信部５６は、通信ネットワーク５７ｂに接続された基地局５７ａとの間で無線通信を行うためのアンテナ５６ａを有しており、通信モードにおいて、制御部５８からの入力信号に従って、基地局５７ａ及び通信ネットワーク５７ｂを介して外部機器との間でデータや信号の送受信を行うようになっている。
【００３４】
記憶部６０は、磁気的記録媒体、不揮発性メモリなどで構成される。記憶部６０には、携帯電話機１のシステムプログラム、処理プログラム、及び当該プログラムの実行に必要なデータが格納されている。また、各種処理によって登録された演奏データ、電話番号データ等を所定の領域に記憶することができる。また、電子楽器モードで必要なデータとして、自動演奏データ、自動伴奏データなどの楽曲データや、演奏操作子５０に対する音高の割り当てなどに関するデータが格納されている。
【００３５】
音声処理回路６２は、詳細な図示は省略するが、Ａ／Ｄコンバータ、Ｄ／Ａコンバータ、ＬＰＦ（Low Pass Filter）、及び増幅器などで構成されている。音声処理回路６２には、レシーバ１６、マイク１７、スピーカ１８が接続されている。音声処理回路６２は、制御部５８から入力される楽音データなどのデジタルデータをＤ／Ａコンバータでアナログデータに変換し、増幅器を介してスピーカ１８やレシーバ１６から楽音として出力する。また、通話時にマイク１７から入力されるアナログ信号を検知すると、該アナログ信号をＡ／Ｄコンバータでデジタル信号に変換し、通信部５６へ出力する。
【００３６】
上記構成の携帯電話機１では、図２（ａ）に示す閉位置にある本体部３０をスライドさせて図２（ｂ）に示す開位置に配置することで、演奏操作子５０を露出させるとともに、処理モードを通信モードから電子楽器モードに切り換えることができる。その状態で、操作者は、演奏操作子５０に触れたり弾いたりする操作を行うことで、電子楽器の演奏を行うことができる。
【００３７】
また、電子楽器モードにおいては、各種演奏モードを設定することが可能である。演奏モードの一例として、通常演奏モード、コード演奏モード、タイミング演奏モード、自動伴奏モードなどがある。順に説明すると、通常演奏モードでは、各演奏操作子５０に対応する音高が演奏操作子５０の配列順に音階を成すように割り当てられる。これにより、各演奏操作子５０の操作で単音が発音される。したがって、演奏操作子５０を操作することで、メロディの演奏が可能となる。また、コード演奏モードでは、各演奏操作子５０にコード構成音が割り当てられる。したがって、複数の演奏操作子５０を一度あるいは順次に弾くことで、和音（コード）が出るようになる。さらにその場合、操作キー１４が有する所定のキーなどにコード変更の操作を割り当てておけば、演奏操作子５０の操作に合わせて当該キーを操作することで、コードを切り換えて進行させる演奏が行えるようになる。また、タイミング演奏モードは、演奏操作子５０の操作により発音タイミングが指示されるように設定する。そして、記憶部６０に格納された演奏データを読み出し、演奏操作子５０の操作のタイミングに応じて、演奏データのメロディ構成音が順に発音されるように設定する。これにより、演奏操作子５０の操作に応じたタイミングで発音された楽音のメロディが流れるようになる。また、自動伴奏モードでは、上記通常演奏モードの設定に加えて、記憶部６０に格納された自動伴奏データを呼び出して伴奏を流すように設定する。これにより、操作者が伴奏に合わせて演奏操作子５０による演奏を行うことができるようになる。
【００３８】
また、電子楽器モードでは、電子楽器の演奏で発生した楽曲のデータを記憶部６０に記憶することもできる。その場合、記憶した楽曲のデータを通信モードに切り換えた際に呼び出せるようにしておけば、記憶した楽曲を電話の着信メロディや他の操作音として設定することが可能である。
【００３９】
以上説明したように、本実施形態の携帯電話機１によれば、楽音情報を入力するための演奏操作子５０を備えたことで、弦や鍵盤などを備えた実際の楽器に近い演奏操作性を実現することができる。したがって、携帯電話機１で楽器の演奏感覚を再現できるようになるので、場所を選ばず気軽に楽器演奏を楽しむことができるようになる。
【００４０】
さらに、演奏操作子５０は、本体部３０が閉位置にあるとき本体部３０に格納され、本体部３０が開位置にあるとき露出するように構成した。これにより、携帯電話機１を通常の携帯電話として用いる際には、本体部３０が閉位置に配置されるので、演奏操作子５０が格納されて邪魔にならない。したがって、携帯電話機１としての本来の機能性を十分に確保できる。その一方で、携帯電話機１を電子楽器として用いる際には、本体部３０が開位置に配置されるので、演奏操作子５０が露出して演奏操作が行い易くなり、電子楽器としての機能性も十分に確保できる。
【００４１】
また、本実施形態の携帯電話機１では、収納部１２は、フレーム部１０に形成された開放端１２ａを有する凹形状の部位からなり、開放端１２ａを介して本体部３０を閉位置と開位置との間でスライド可能とするガイド機構４０を備えている。この構成により、本体部３０をフレーム部１０に対してスライドさせるという簡単な操作で、演奏操作子５０の出し入れが行えるようになる。したがって、携帯電話機１としての使用状態と電子楽器としての使用状態の切り換えが簡単に行えて、便利である。
【００４２】
また、本実施形態の携帯電話機１では、演奏操作子５０は、並設された複数の線状のタッチセンサからなる。したがって、操作者が演奏操作子５０に触れることで楽音に関する情報の入力を行うことができ、演奏操作が容易に行えるようになる。また、演奏操作子５０を複数の線状部材としたことで、弦楽器の弦のように弾いて操作することが可能となるので、弦楽器の演奏感覚を再現可能となる。したがって、電子楽器の演奏をより楽しむことができるようになる。
【００４３】
また、線状部材からなる演奏操作子５０は、本体部３０が開位置に配置される際に本体部から導出され、閉位置に配置される際に本体部３０に格納されるので、本体部３０の移動に伴い演奏操作子５０が出し入れされる構成を簡単に実現できる。そのうえ、演奏操作子５０は、本体部３０が開位置に配置されたとき、収納部１２と本体部３０の間に架け渡された状態となる。したがって、演奏操作子５０を指などで弾いて演奏する操作が行い易くなるので、電子楽器の演奏をより楽しむことができるようになる。
【００４４】
また、本実施形態の携帯電話機１では、通信処理を実行する通信モードと、電子楽器の演奏を行う電子楽器モードとを切り換えて設定することができる。そして、通信モードが設定された場合、演奏操作子５０には、通信情報を入力するための機能が割り当てられ、電子楽器モードが設定された場合、演奏操作子５０には、楽音情報を入力するための機能が割り当てられる。したがって、演奏操作子５０を電子楽器の演奏に用いるのみならず、通信端末の情報入力手段（例えば、携帯電話の数字／文字入力キー）としても用いることができる。これにより、携帯電話機１の構成を簡単にしながらも、その多機能化を図ることができる。
【００４５】
〔第２実施形態〕
次に、本発明の第２実施形態にかかる携帯電話機について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。図４は、第２実施形態の携帯電話機１−２を示す斜視図である。第１実施形態の携帯電話機１では、本体部３０が収納部１２に対してスライドすることで閉位置と開位置との間を移動するように構成していたのに対して、本実施形態の携帯電話機１−２では、本体部３０が収納部１２に対して回転することで閉位置と開位置との間を移動するように構成している。以下、詳細に説明する。
【００４６】
携帯電話機１−２では、本体部３０が収納部１２の開放端１２ａに回転自在に取り付けられている。すなわち、開放端１２ａの両側と本体部３０の端部とを回転自在に連結する回転機構４５が設けられている。回転機構４５は、フレーム部１０の長手方向に延びる回転軸４３を中心に本体部４３を左右に回転させるようになっている。この回転機構４５により本体部３０が閉位置へ回転したとき、収納部１２内に配置された本体部３０の面とフレーム部１０の面とが略同一平面上に位置する状態となり、本体部３０が開位置へ回転したとき、収納部１２から取り出された本体部３０の面とフレーム部１０の面とが略同一平面上に位置する状態となる。なお、図５は、本体部３０が開位置にある状態を示している。また、図５に示す第２実施形態の携帯電話機１−２では、枠部１０と本体部３０の正面及び背面の配置が第１実施形態の携帯電話機１とは逆になっている。
【００４７】
また、本実施形態では、第１実施形態の携帯電話機１が備えていた格納穴３２（図１参照）に代えて、本体部３０の正面３５に配列した格納溝３３を備えている。格納溝３３は、本体部３０の短手方向における一の端面３０ａから他の端面３０ａへ貫通して延びる直線状のスリットとして形成されている。これにより、本体部３０が閉位置へ回転する際、格納溝３３が演奏操作子５０に被さる。これにより、演奏操作子５０が格納溝３３に格納される。また、閉位置の本体部３０を開位置へ回転させることで、演奏操作子５０が格納溝３３から取り出されて露出する。その他の構成は、第１実施形態の携帯電話機１と同じである。
【００４８】
以上本発明の実施形態を説明したが、本発明は上記実施形態に限定されるものではなく、特許請求の範囲、及び明細書と図面に記載された技術的思想の範囲内において種々の変形が可能である。例えば、上記実施形態では、本発明にかかる演奏操作子の一例として、弦に近似した構成の線状部材を備える場合を示したが、演奏操作子は、それ以外の構成であってもよい。また、演奏操作子５０の具体的な数は、上記実施形態に示す数には限定されない。また、フレーム部１０に対する本体部３０の動作も一例であり、開位置と閉位置の間での本体部３０の移動に伴い演奏操作子５０が出し入れされる構成であれば、本体部３０の具体的な動作は、上記実施形態に示すスライドや回転には限らず、他の動作でもよい。
【００４９】
上記第１、第２実施形態では、演奏操作子５０が本体部３０に格納される場合を示したが、これ以外にも、本発明の通信端末装置では、演奏操作子がフレーム部に格納されるように構成しても良い。この場合、詳細な図示は省略するが、例えば第１実施形態の構成において、演奏操作子５０が格納されるスペースを本体部３０内ではなくフレーム部１０内に設け、かつ、演奏操作子５０を格納するための格納穴３２を収納部１２の端面１２ｂに形成するように構造を変更すればよい。さらに、本発明の通信端末装置では、演奏操作子が本体部とフレーム部の両方に格納されるように構成してもよい。
【００５０】
また、本体部に設ける操作部や表示部は、上記実施形態に示すタッチパネル３７には限らず、他の構成でもよい。例えば、詳細な図示は省略するが、操作キーと液晶パネルを備えたものであってもよい。また、上記実施形態では、通信端末装置として携帯電話機１を例に挙げたが、本発明にかかる通信端末装置は携帯電話機１には限定されず、それ以外にも、電子メール送受信機能やインターネット閲覧機能のみを備えた通信端末装置であってもよいし、他の種類の通信端末装置であってもよい。
【図面の簡単な説明】
【００５１】
【図１】本発明の第１実施形態にかかる携帯電話機を示す斜視図である。
【図２】（ａ）は、携帯電話機を背面側から見た平面図、（ｂ）は、正面側から見た平面図である。
【図３】携帯電話機の機能構成を示すブロック図である。
【図４】本発明の第２実施形態にかかる携帯電話機を示す斜視図である。
【符号の説明】
【００５２】
１，１−２  携帯電話機（通信端末装置）
１０  フレーム部
１２  収納部
１２ａ  開放端
１４  操作キー（操作部）
３０  本体部
３２  格納穴（格納部）
３３  格納溝
３７  タッチパネル
３７ａ  数字／文字キー（操作部）
３７ｂ  操作キー（操作部）
３７ｃ  表示面（表示部）
４０  ガイド機構
４５  回転機構
５０  演奏操作子（タッチセンサ）
５８  制御部（モード切換手段）
【図１】
2010021690.tif 000003
【図２】
2010021690.tif 000004
【図３】
2010021690.tif 000005
【図４】
2010021690.tif 000006